(57)【特許請求の範囲】
【請求項１】
液体を収納する液体収納部と、前記液体収納部に連結した粉体を収納する粉体収納部と、前記粉体収納部に連結した注入部とを有し、前記粉体収納部は前記液体に対し封止されていて、使用時に、前記封止が解放されて、前記液体収納部と前記粉体収納部の間が連通して、前記粉体収納部の粉体と前記液体収納部の液体が混合し、前記粉体と前記液体の混合物が、前記注入部から注入できる浣腸容器であって、
前記液体収納部と前記粉体収納部は蛇腹容器からなり、
前記封止を解放した後、前記液体を収納した液体蛇腹容器を圧縮することにより、前記液体蛇腹容器から前記粉体蛇腹容器に液体を流入させ、前記粉体蛇腹容器を膨らませながら前記粉体蛇腹容器の内部で液体と粉体を混合させ、
その後、膨らんだ前記粉体蛇腹容器を圧縮することによって容器内部の前記液体と粉体の混合物を、前記注入部から肛門に注入する、
ことを特徴とした浣腸容器。
【請求項２】
前記液体蛇腹容器は、蛇腹を構成する複数の円盤が前記粉体蛇腹容器と連結する側と反対方向に向かって徐々に小径となり、前記粉体蛇腹容器は、蛇腹を構成する複数の円盤が前記液体蛇腹容器と連結する側に向かって徐々に小径となるよう形成されていることを特徴とした請求項１記載の浣腸容器。
【請求項３】
前記液体蛇腹容器と前記粉体蛇腹容器との連結部分に逆止弁を設けたことを特徴とした請求項１又は２記載の浣腸容器。
【発明の詳細な説明】
【技術分野】
【０００１】
本発明は、薬剤等を直腸内投与するための浣腸容器に関する。
【背景技術】
【０００２】
従来、漢方薬は経口投与が一般的である。しかし、浣腸容器を用いて漢方薬を肛門から注入し直腸に吸収させる直腸内投与の方が吸収スピードが早く薬の効果が早く発揮される。直腸内投与を行うには粉体の漢方薬を液体に溶かして浣腸容器に入れる作業が必要であり、医療機関にて投与毎に当該作業を行わなければならず、手間を要する。また、漢方薬は粉体の状態であれば長期保存が可能だが、液体に溶かすと腐りやすいため、溶液又は分散液の状態で保存することは困難である。また、現時点では、漢方薬を腸に入れるために各病院がお抱えの薬局に特別に坐薬を調合させているのが現状で、浣腸容器として簡易なものが求められていた。
現在の一般的な浣腸容器は液体のみを入れるものが主である。特許文献１，２には、浣腸容器の一部に蛇腹部を有するものを開示している。
また、特許文献３には、薬剤を使用直前に液体と混合して直腸内投与するための装置が記載されている。この装置は、薬剤と、液体が別々の容器に保存されている。
一方、特許文献４〜８には、キャップに茶葉等の飲料原料を収納し、ボトルに水を収納し、飲用時に飲料原料をキャップからボトル内の水に混ぜる、様々な飲用ペットボトルが開示されている。
【先行技術文献】
【特許文献】
【０００３】
【特許文献１】特開２００２−２７２８３８号公報
【特許文献２】特開２００５−２３０２８５号公報
【特許文献３】特表２０１４−５３３９８２号公報
【特許文献４】登録実用新案第３１３０４８０号公報
【特許文献５】特開２００９−０８３９２３号公報
【特許文献６】特開２００５−２８９４１６号公報
【特許文献７】特開２００３−０８１３５７号公報
【特許文献８】特開２００５−２２７０６号公報
【発明の概要】
【発明が解決しようとする課題】
【０００４】
本発明の目的は、一容器内で、粉体と液体を分けて保存し、使用直前に容易に両者を混合することが可能な浣腸容器を提供することである。
【課題を解決するための手段】
【０００５】
本発明の浣腸容器は、液体を収納する液体収納部と、液体収納部に連結した粉体を収納する粉体収納部と、液体収納部又は粉体収納部に連結した注入部とを有する。粉体収納部は、液体収納部に収容される液体に対し封止されている。使用時に、前記封止が解放されて、液体収納部と粉体収納部の間が連通して、粉体と液体が混ざる。注入部を肛門に挿入して、粉体と液体の混合物を、注入部から注入する。
粉体と液体の混合は、粉体収納部から粉体が液体収納部に入ってもよいし、液体収納部から液体が粉体収納部に入ってもよい。
【０００６】
粉体収納部を、液体収納部に対するキャップとして構成してもよい。この場合、通常注入部は液体収納部に連結される。尚、本発明では、粉体と液体を混合した後、キャップが外れる必要はない。むしろ混合液が漏れないように外れない方が好ましい。
使用時に、液体収納部と粉体収納部を連通する機構は、本発明の効果を妨げない機構であれば使用できる。飲用時に飲料原料をキャップからペットボトル内の水に混ぜる公知の機構も使用できる。
【０００７】
本発明の一態様では、前記粉体収納部の前記液体収納部側の端に境界蓋部があり、使用時に、前記境界蓋部が外れて又は開いて、前記液体収納部と前記粉体収納部の間が連通する。
【０００８】
本発明の他の態様では、前記粉体収納部の前記液体収納部側の端に機械的弱点部を有する境界部があり、使用時に、前記機械的弱点部が破壊されて、前記液体収納部と前記粉体収納部の間が連通する。
【０００９】
使用時に、突出部材に押されて、前記境界蓋部が外れる若しくは開く、又は、前記機械的弱点部が破壊されるようにしてもよい。
【００１０】
上記の態様の粉体収納部の具体的構造の例として、
前記粉体収納部が、
前記液体収納部の口部を塞ぐ天面部を有する蓋部と、
前記液体収納部の口部内に挿入され、前記蓋部の天面部に固定される第２の端部と、前記蓋部の天面部と反対側に位置する端面が開口する第１の端部を有する内筒部本体を有する内筒部と、
前記液体収納部の口部に挿入されるとともに、内部に前記内筒部本体が挿入され、前記液体収納部側の端部から、前記内筒部本体の第１の端部が突出し、第１の端部に前記蓋部が螺合する外筒部と、を備え、
前記内筒部は、
前記粉体を収納する前記内筒部本体と、
前記内筒部本体の前記開口に着脱可能に嵌め込まれるとともに、前記外筒部の前記端部と対向する底蓋部（境界蓋部）とを有し、
使用時に、前記蓋部を前記外筒部に対して開方向に螺進して前記内筒部本体を駆動させ、前記底蓋部を前記外筒部の端部により前記内筒部本体から脱落させる構成が挙げられる。
【００１１】
さらに、他の例として、
前記粉体収納部が、外キャップと内キャップを有する二重構造であり、
前記内キャップが粉体を収納し、
前記外キャップに突出部材が取り付けられ、
前記内キャップの前記液体収納部側の端に、底蓋部（境界蓋部）又は機械的弱点部を有する底部があり、
使用時に、前記外キャップと突出部材が前記液体収納部側に移動して、前記突出部材により底蓋部が外れる若しくは開く、又は機械的弱点部が破壊される構成が挙げられる。
【００１２】
この例では、
前記粉体収納部が、その底部（境界部）から粉体収納部を貫いて外部に延びる突出部材を有し、
使用時に、外部から突出部材を押すことにより、前記底部が外れる又は開く構成とできる。
【００１３】
また、この例では、
前記粉体収納部が、前記液体収納部の口部にある内キャップと、前記内キャップの外周面に螺合する外キャップを有し、
前記外キャップには、前記内キャップの底部に延びる突出部材が取り付けられ、
使用時に、前記外キャップを螺進させることにより、前記突出部材が前記内キャップの底部を外す又は開く構成としてよい。
前記突出部材は、前記内キャップの底部と連結してもよく、分離していてもよい。
【００１４】
さらに、この例では、
前記粉体収納部が、前記液体収納部の口部にある内キャップと、前記内キャップの外周面に螺合する外キャップを有し、
前記内キャップは、前記液体収納部側に底部と、反対側に天面部と、前記底部から天面部に向かって延びる棒を有し、
前記外キャップには、前記内キャップの天面部に向かって延びる突出部材が取り付けられ、
使用時に、前記外キャップを螺進させることにより、前記突出部材が前記内キャップの天面部を貫き、前記棒を押して前記底部を外す又は開く構成としてよい。
【００１５】
上記の例において、底部に機械的弱点部を設け、突出部材に押されて、破壊されやすく構成することができる。その際、底部に機械的強部又はヒンジ部を設け、底部が落下しないようにできる。
【００１６】
本発明の他の態様では、
前記粉体収納部が、外キャップと内キャップを有し、
該外キャップの天井内面にナス型粉体収納体が固定用部材で固定されており、該粉体収納体の有底部には複数の非貫通スリットが設けられており、更に前記収納体の移動を阻止する環状体が該収納体の首部に嵌合されていると共に該環状体は、前記内キャップの内壁に固定されており、前記外キャップを開ける際、前記収納体が上昇して首部が絞られて押圧され、前記非貫通スリットを開裂する。
【００１７】
本発明の他の態様では、
前記液体収納部の前記粉体収納部側の第１の端部に第１の通孔があり、
前記粉体収納部の前記液体収納部側の第２の端部に第２の通孔があり、
前記粉体収納部は、前記液体収納部に対し、前記第１の端部と第２の端部の一方が他方に対して回動可能に、前記第１の通孔と前記第２の通孔が連通しないように前記第１の端部と前記第２の端部を密着させて、取り付けられ、
使用時に、前記第１の端部と第２の端部の一方を他方に対してを回動させて、前記第１の通孔と前記第２の通孔を連通させる。
【００１８】
このような態様の粉体収納部の具体的構造の例として、
前記粉体収納部が、内キャップと外キャップを有し、
前記内キャップが、前記液体収納部の口部へ取り付けられ、前記外キャップは前記内キャップの外周面へ取り付けられていて、
前記内キャップの天端壁に前記液体収納部の中空部内と連通する通孔が形成されており、
前記外キャップには、前記内キャップへねじ込んだ際の終点で内キャップの天端壁と密接する位置に容室を形成する隔壁が設けられ、この隔壁に前記内キャップの通孔と距離を隔てる位置に前記外キャップを回転すると連通する形状の振出孔が形成されており、
前記外キャップの前記隔壁で形成された容室内に前記粉体が収納され、
使用時に、前記外キャップを一定の回転角だけ回して、前記内キャップの通孔と前記外キャップの振出孔とを連通させ粉体を前記液体収納部へ混入する構成が挙げられる。
好ましくは、前記内キャップの天端壁と前記外キャップの隔壁のいずれか一方又は双方に、前記通孔と振出孔とを水密的に隔絶する止水手段を設ける。
【００１９】
上記の例において、前記内キャップは、前記液体収納部と一体形成されていても、別に形成されていてもよい。
【００２０】
他の例として、粉体収納部と液体収納部を蛇腹構造とし、注入部を粉体収納部に連結させ、使用時に、液体収納部から粉体収納部に液体を流入させて、混合液を作製し、この混合液を蛇腹を圧縮させて、粉体収納部に連結する注入部から注入する構成が挙げられる。
【００２１】
液体収納部の形状は限定されないが、蛇腹構造であると注入が容易であり好ましい。注入部は、例えば、ノズル又はカニューレとすることができる。
【００２２】
本発明の浣腸容器は、使用前の輸送、保管時には、粉体と液体が分離していて、粉体の液体による劣化が抑制される。使用する直前に混ぜることで、消費期限を長くすることができる。一容器内において粉体と液体が収納されているので、使用時には、簡単に混合できる。
【００２３】
直腸投与する薬剤として、坐薬が知られている。本発明は、坐薬に対し以下の効果を有する。
・本発明のように薬剤を分散液又は溶液として注入する方が、効き目が早い。
・坐薬の挿入より抵抗感が少なく、坐薬の挿入の際のように使用者の爪で体を傷つける恐れが少ない。
・坐薬のように便と共に体外にでてくる恐れも少ない。
・坐薬には有効薬剤の他添加物が必要であるが、本発明ではそのような添加物は必要とせず安全性が高い。
・坐薬を製造するためには多くの工程が必要である。その際、薬剤が空気に触れ劣化する。本発明の粉体収納部において空気以外の雰囲気で薬剤を収納するようにすれば、薬剤が空気に触れる時間は非常に少なくなる。また、本発明では使用直前に液体と混合するので、液体と長く接触しないため液体との相互作用による劣化が少ない。
【００２４】
本発明の浣腸容器が収納する粉体として、薬剤、特に漢方薬、ビタミン、乳酸菌等を用いることができる。漢方薬の例として、五苓散、大建中湯、柴胡桂枝湯、柴苓湯、芍薬甘草湯等が挙げられる。嘔吐等があって経口投与が困難な患者に、本発明の浣腸容器を用いた直腸投与が効果的である。小児科医や漢方医からの要望は強い。
【００２５】
子どもの感染性胃腸炎の嘔吐、熱中症、二日酔い等に効果がある五苓散の座薬が望まれているが、製剤として販売がなく、座薬は製造するのに工程が多く、簡易に作れないが、本発明による容器を用いれば、蒸留水と市販の漢方薬等を真空下で封入することで簡易に製造できる。
近年では、熱中症の死亡者も増えているが、本発明の浣腸容器を用いた浣腸であれば家庭で簡易に使うことができる。医師も素早く簡易に注入することができる。
【発明の効果】
【００２６】
本発明によれば、一容器内で、粉体と液体を分けて保存し、使用直前に容易に両者を混合することが可能な浣腸容器が提供できる。
【図面の簡単な説明】
【００２７】
【図１】本発明の第１の実施形態に係る浣腸容器を示す側面図である。
【図２】本発明の第１の実施形態に係る浣腸容器を示す上面図である。
【図３】本発明の第１の実施形態に係る浣腸容器を示す底面図である。
【図４】本発明の第１の実施形態に係るキャップの分解断面図である。
【図５】本発明の第１の実施形態に係るキャップの断面図である。
【図６】本発明の第１の実施形態に係るキャップの開動作を示す断面図である。
【図７】本発明の第１の実施形態に係るカニューレの他の形態を示す部分断面図である。
【図８】本発明の第２の実施形態に係るキャップの断面図である。
【図９】本発明の第２の実施形態に係る外キャップの隔壁と内キャップの天端壁の平面図である。
【図１０】本発明の第２の実施形態に係る止水手段を示す断面図である。
【図１１】本発明の第３の実施形態に係るキャップの断面図である。
【図１２】本発明の第３の実施形態に係るキャップの開動作を示す断面図である。
【図１３】本発明の第４の実施形態に係るキャップの断面図である。
【図１４】本発明の第４の実施形態に係るキャップの開動作を示す断面図である。
【図１５】本発明の第５の実施形態に係るキャップの断面図である。
【図１６】本発明の第５の実施形態に係るキャップの開動作を示す断面図である。
【図１７】本発明の第６の実施形態に係るキャップの断面図である。
【図１８】本発明の第６の実施形態に係るキャップの開動作を示す断面図である。
【図１９】本発明の第７の実施形態に係るキャップの断面図である。
【図２０】本発明の第８の実施形態に係る浣腸容器を示す側面図である。
【図２１】第８の実施形態の浣腸容器において、液体収納部を圧縮して粉体収納部で液体と粉体を混合した状態を示す側面図である。
【図２２】第８の実施形態の浣腸容器において、粉体収納部を圧縮して混合液を注入した状態を示す側面図である。
【発明を実施するための形態】
【００２８】
以下、本発明の好適な実施形態を、図面を参照しながら説明する。
以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００２９】
図１は本発明の第１の実施形態に係る浣腸容器を示す側面図であり、図２はその上面図であり、図３はその底面図である。
【００３０】
図１に示すように、浣腸容器１００は、キャップ（粉体収納部）１と、蛇腹容器（液体収納部）２と、カニューレ（注入部）３とを有する。
【００３１】
蛇腹容器２は、内部に液体（例えば、グリセリン、蒸留水、生理食塩水）が収容される。蛇腹容器２の一方の端部には口部２１があり、口部２１の外周面には螺旋が刻設されている。他方の端部は、カニューレ３が取り付けられている。
カニューレ３の蛇腹容器２と反対側の端部には栓３１があり、好ましくは逆止弁が設けられる。
【００３２】
図４〜図６を参照して、キャップ１について説明する。
キャップ１は、蛇腹容器２の口部２１を閉鎖するものである。
キャップ１は、蓋部１１，内筒部１２、外筒部１３を備える。
蓋部１１は、蛇腹容器２の口部２１を閉鎖する天面部１１１と、この天面部１１１の周縁から下垂する周壁部１１２とを備える。
周壁部１１２は、内周面に螺旋が刻設された内螺旋状になっている。
【００３３】
内筒部１２は、筒状の部材であり、蛇腹容器２の口部２１に挿入される。この内筒部１２は、内部に粉体が収納される。
この内筒部１２は、内筒部本体１２１と、底蓋部１２２とを備える。
内筒部本体１２１は、無底の円筒であり、蛇腹容器２側の第１の端部と、反対側の第２の端部を有する。第２の端部が天面部１１１の裏面に固定され、第２の端部側の開口が天面部１１１により閉鎖されている。内筒部本体１２１と、蓋部１１とは、一体的に構成されている。この内筒部本体１２１は、蛇腹容器２の口部２１に挿入される。
【００３４】
内筒部本体１２１の第１の端部側（天面部１１１と反対側）の開口には、底蓋部１２２が嵌め込まれる。底蓋部１２２は、内筒部本体１２１の前記開口から着脱可能である。
底蓋部１２２は、内筒部本体１２１の開口を塞ぐとともに、前記開口に押し込まれる押し込み部１２２Ａと、この押し込み部１２２Ａの周縁部に設けられたフランジ部１２２Ｂとを備える。
フランジ部１２２Ｂは、押し込み部１２２Ａの周縁部から水平方向（内筒部本体１２１の長手軸と直交する方向）に張り出した張り出し部１２２Ｃと、この張り出し部１２２Ｃの周縁に対し、略垂直に設けられた壁部１２２Ｄとを備える。
張り出し部１２２Ｃ上には、リング状のパッキンＰ１が設置されている。
また、壁部１２２Ｄ上にも、リング状のパッキンＰ２が設置されている。
押し込み部１２２Ａを内筒部本体１２１の第１の端部側の開口に押し込むとともに、壁部１２２Ｄと、押し込み部１２２Ａの外周面との間に、内筒部本体１２１の第１の端部を嵌め込むことで底蓋部１２２が内筒部本体１２１に取り付けられる。
【００３５】
外筒部１３は、円筒状の第１の筒部１３１と、第１の筒部１３１の外周面から突出した円筒状の第２の筒部１３２とを備える。
第１の筒部１３１は、無底の円筒状であり、蛇腹容器２側の第１の端部と、反対側の第２の端部を有する。この第１の筒部１３１は、第１の端部側が蛇腹容器２の口部２１内に挿入され、口部２１から突出する。
また、この第１の筒部１３１内部には、内筒部本体１２１が挿入され、第１の筒部１３１の第１の端部からは、内筒部本体１２１の第１の端部が突出する。内筒部本体１２１は、その外周面のほとんどが、第１の筒部１３１により覆われ、内筒部本体１２１の第１の端部のみが第１の筒部１３１の第１の端部から露出する。
また、第１の筒部１３１の第１の端部の端面は、底蓋部１２２のフランジ部１２２Ｂの壁部１２２Ｄ先端に対向するとともに、当接している。
第１の筒部１３１の第２の端部外周面には、螺旋が刻設されている。この第１の筒部１３１の第２の端部には、蓋部１１の周壁部１１２が螺合する。
【００３６】
第２の筒部１３２は、第１の筒部１３１の外周面の略中央部分を囲むように設けられ、蛇腹容器２の口部２１側の端面が開口している。第２の筒部１３２の内周面に螺旋が刻設されており、第２の筒部１３２は、蛇腹容器２の口部２１の外周面に刻設された螺旋に螺合する。
従って、蓋部１１は、外筒部１３を介して、蛇腹容器２の口部２１に装着される。
【００３７】
次に、キャップ１の開栓動作について説明する。
図６に示すように、蓋部１１を開方向、すなわち、図６の上側に螺進させ、蓋部１１と外筒部１３との螺合を解除する。蓋部１１と内筒部本体１２１とは一体的に構成されているため、蓋部１１を螺進させる動作に伴い、内筒部本体１２１、さらには、内筒部本体１２１に押し込まれた底蓋部１２２が上側に移動しようとする。
この際、底蓋部１２２は、外筒部１３の蛇腹容器２側の端部、すなわち、第１の筒部１３１の第１の端部に対向するとともに、当接しているため、第１の筒部１３１の第１の端部の端面により、底蓋部１２２の上側への移動が阻止され、底蓋部１２２と、第１の筒部１３１の端面との衝突により、底蓋部１２２が内筒部本体１２１から脱落する。
これにより、内筒部本体１２１内部に収容されていた粉体が、蛇腹容器２内部に落下し、蛇腹容器２内部に充填されていた液体に混ざる。
【００３８】
落下した底蓋部１２２が、カニューレ３の蛇腹容器２に対する開口を塞がないように、蛇腹容器２内に蛇腹容器２を横断してフィルタを設けてもよい。また、図７に示すように、カニューレ３を、蛇腹容器２内に突出させて結合させてもよい。
【００３９】
図８〜１０を参照して、本発明の第２の実施形態の粉体収納部を説明する。
この実施形態のキッャプ（粉体収納部）２１０は、内外二重構造の内キャップ２２０と外キャップ２３０の組合せを有する。
内キャップ２２０は、その内周面に形成された螺旋２２０ｃにより、液体収納部２の口部２１の外周面に形成した螺旋２１ａへ螺合して取り付けられている。
上記内キャップ２２０の天端壁２２０ｂには、液体収納部２の中空部内と連通する通孔２２１が図示例の場合は半月形状に形成されている。
他方、外キャップ２３０には、図８のように内キャップ２２０へ螺合する際に内キャップの天端壁２２０ｂと密接する位置に、容室２３２を形成する隔壁２３０ａが設けられている。この隔壁２３０ａに、当該外キャップ２３０が内キャップ２２０の外周面の螺旋２２０ａへねじ込まれた終点で、丁度図９のように約１８０°対称に隔てる位置となるように、内キャップ２２０の前記通孔２２１と連通可能な形状、大きさの半月形状（但し、両孔２２１と２３１は連通する関係であれば足り、同形、同大の半月形状に限らない。）に、粉体振出孔２３１が形成されている。そして、内キャップ２２０の天端壁２２０ｂの上面と、外キャップ２３０の前記隔壁２３０ａの下面のいずれか一方又は双方に、前記通孔２２１と振出孔２３１とを水密的に隔絶する止水手段２４０が設けられている（図９）。液体収納部２内に収容された液体が不用意に、容室２３２内に収容された粉体まで浸み込む事故を未然に防止する為である。
【００４０】
通孔２２１と振出孔２３１とを水密的に隔絶する止水手段２４０は、図９に示すように、止水手段２４０によって形成される通孔２２１の領域と振出孔２３１の領域とが円周を二分するように配置される。また、止水手段２４０の具体的構造として図１０Ａ、Ｂに拡大し少し誇張して示した例は、内キャップ２２０の天端壁２２０ｂの上面に形成されたＶ字形又は半円形状の凹溝条２４０ａと、外キャップ２３０の隔壁２３０ａの下面に前記凹溝条２４０ａへぴったり嵌り込むように形成されたＶ字形状又は半円形状の凸条２４０ｂとで構成されている。これらの凹凸条２４０ａと２４０ｂは、外キャップ２３０を内キャップ２２０の螺旋２２０ａへねじ込まれた終点で、外キャップ２３０の隔壁２３０ａが内キャップ２２０の天端壁２２０ｂへ密接するのと同時に、密着して嵌り合う関係の構成で設けられている。
【００４１】
液体収納部２１０の使用法としては、静止状態を保つ内キャップ２２０に対して外キャップ２３０を約１８０°だけ緩め回して、内キャップ２２０の通孔２２１と外キャップ２３０の振出孔２３１とを連通させる。すると粉体は液体収納部２内の液体中へ落下して混入できる。
尚、内キャップ２２０を、液体収納部２の口部２１と一体形成してもよい。
【００４２】
図１１，１２を参照して、本発明の第３の実施形態の粉体収納部を説明する。
図１１に示すように、この粉体収納部３１０は、液体収納部２側に底部３２５を有する容器３２０と、底部３２５から容器３２０を貫いて延びる突出部材３３０と、容器３２０と突出部材３３０の間に挿入されるストッパー３４０を有する。容器３２０内には粉体が収納されている。使用時には、図１２に示すように、ストッパー３４０を外して、突出部材３３０を液体収納部２側に押すと、突出部材３３０と連結する底部３２５が外れて、容器３２０内の粉体が液体収納部２内の液体に混ざる。
【００４３】
図１３，１４を参照して、本発明の第４の実施形態の粉体収納部を説明する。
この実施形態は、第３の実施形態が突出部材３３０を上から下に押し込むことにより底部３２５を外したのに対し、突出部材が連結する蓋部を螺進させることにより液体収納部２側に移動させる点が異なる。
図１３に示すように、この粉体収納部４１０は、液体収納部２側に底部４２５を有する容器４２０と、容器４２０と螺合する蓋部４４０を有する。容器４２０の外周面には螺旋４２１が設けられ、蓋部４４０の内周面にも螺旋４４１が設けられている。蓋部４４０には、底部４２５から容器４２０を貫いて延びる突出部材４３０が連結している。容器４２０内には粉体が収納されている。使用時には、図１４に示すように、蓋部４４０を液体収納部２側、図１２の下側へ螺進させると、突出部材４３０と連結する底部４２５が外れて、容器４２０内の粉体が液体収納部２内の液体に混ざる。
【００４４】
図１５，１６を参照して、本発明の第５の実施形態の粉体収納部を説明する。
この実施形態は、第４の実施形態と、突出部材が底部と連結していない点が異なる。
図１５に示すように、この粉体収納部５１０は、液体収納部２側に底部５２５を有する容器５２０と、容器５２０と螺合する蓋部５４０を有する。容器５２０の外周面には螺旋５２１が設けられ、蓋部５４０の内周面にも螺旋５４１が設けられている。底部５２５には機械的弱点部５２６がある。蓋部５４０には、底部５２５の機械的弱点部５２６に向かって容器５２０の上面壁を貫いて延びる突出部材５３０が連結している。容器５２０内には粉体が収納されている。使用時には、図１６に示すように、蓋部５４０を螺進させると、突出部材５３０が底部５２５の機械的弱点部５２６を押すことにより破壊する。その結果、底部５２５が開き容器５２０内の粉体が液体収納部２内の液体に混ざる。
【００４５】
図１７，１８を参照して、本発明の第６の実施形態の粉体収納部を説明する。
この実施形態は、第５の実施形態と、粉体を収納する容器がアルミフィルム等のシートでシールされている点が異なる。
図１７に示すように、この粉体収納部６１０は、液体収納部２側に底部６２５を有する容器６２０と、容器６２０と螺合する蓋部６４０を有する。容器６２０の外周面には螺旋６２１が設けられ、蓋部６４０の内周面にも螺旋６４１が設けられている。容器６２０の底部６２５には機械的弱点部６２６があり、底部６２５から天面６２８に向かって延びる棒６２７がある。容器６２０の天面６２８はアルミフィルム等のシートでシールされ、密封性を高めている。蓋部６４０には、容器６２０に向かって延びる突出部材６３０が連結している。容器６２０内には粉体が収納されている。使用時には、図１８に示すように、蓋部６４０を螺進させると、突出部材６３０が容器６２０の天面６２８のシートを貫き、棒６２７を押し、底部６２５の機械的弱点部６２６を破壊する。その結果、底部６２５が開き容器６２０内の粉体が液体収納部２内の液体に混ざる。
【００４６】
図１９を参照して、本発明の第７の実施形態の粉体収納部を説明する。
図１９に示すように、この粉体収納部７１０は、外キャップ７３０と内キャップ７２０を有する。外キャップ７３０は、内キャップ７２０と螺合する。内キャップ７２０の外周面には螺旋７２１が設けられ、外キャップ７３０の内周面にも螺旋７３１が設けられている。該外キャップ７３０の天面部の内面には粉体を入れたナス型袋７４０が、固定具７５０により固定されている。このナス型袋７４０の有底部には、スリット７４１を放射状に有している。このスリットは、非貫通スリットであり、好ましくはＶ字形である。内キャップ７２０は、内キャップ７２０を横断して、環状体固定枠が内面に固定されている。環状体固定枠には環状体７２２が形成されている。ナス型袋７４０の首部は、環状体７２２を貫いて取り付けられる。使用時に、外キャップ７３０を液体収納部２と反対側即ち図１９の上側に螺進させると、ナス型袋７４０は上方へ移動するが、首部より下の部分は環状体７２２の環の直径より大きいので、該環を通過できない。したがって、袋７４０は首部で絞られて内圧が大きくなり、スリット７４１が開裂する。これにより内部に収納されていた粉体が落下する。
【００４７】
図２０〜２２を参照して、本発明の第８の実施形態の浣腸容器を説明する。
図２０，２１に示すように、浣腸容器２００は、粉体用蛇腹容器（粉体収納部）８１０と、液体用蛇腹容器（液体収納部）８２０と、粉体用蛇腹容器８１０の液体用蛇腹容器８２０の反対側にあるカニューレ（注入部）３とを有する。
この実施形態では、粉体用蛇腹容器８１０に粉体が収納され、液体用蛇腹容器８２０に液体が収納される。粉体用蛇腹容器８１０は液体用蛇腹容器８２０側に第１の端部８１６（図２１参照）を有する。図２０では粉体用蛇腹容器８１０が圧縮された状態であり、第１の端部８１６は中に入り込んで図示されていない。液体用蛇腹容器８２０は粉体用蛇腹容器８１０側に第２の端部８２６を有する。液体用蛇腹容器８２０には、蓋８２５が設けられている。
粉体用蛇腹容器８１０は、円盤８１１，８１２，８１３からなり、好ましくは図示するように円盤８１１から円盤８１３に向かって徐々に径が小さくなっている。液体用蛇腹容器８２０も、図２１に示すように、円盤８２１，８２２，８２３からなり、好ましくは図示するように円盤８２１から円盤８２３に向かって徐々に径が小さくなっている。この実施形態では、使用前は、粉体用蛇腹容器８２０は圧縮された状態で粉体を収納しているが、一部又は全部が圧縮されてない状態で収納してもよい。
【００４８】
第１の端部８１６と第２の端部８２６は、第２の実施形態の天端壁２２０ｂと隔壁２３０ａと同様に形成される。具体的には、第１の端部８１６と第２の端部８２６にはそれぞれ通孔（図示せず）があり、使用しないときは、連通しない位置にある。非使用時は、第１の端部８１６と第２の端部８２６は密着して液封止状態にある。使用時に、第１の端部８１６と第２の端部８２６の一方を他方に対して回転すると、２つの通孔が連通して、液体用蛇腹容器８２０にある液体が、粉体用蛇腹容器８１０内に入る。第２の実施形態のように止水手段を設けてもよい。
第１の端部８１６と第２の端部８２６（接合部）は細くても太くてもよく、逆止弁を取り付けてもよい。
【００４９】
使用時は、２つの通孔を連通させ、図２１に示すように、液体用蛇腹容器８２０を粉体用蛇腹容器８１０に向けて圧縮して、液体を粉体用蛇腹容器８１０に入れる。粉体用蛇腹容器８１０は液体により膨らみながら液体と粉体が混合される。このとき、円盤８２１から円盤８２３に向かって徐々に径が小さくなっていると、円盤８２１，８２２，８２３は圧縮して、円盤８２３は円盤８２２内に、円盤８２２は円盤８２１内に入り込み、元に戻らない。
次に、カニューレ３の栓３１（図１参照）を外して肛門に挿入した後、図２２に示すように、粉体用蛇腹容器８１０をカニューレ３に向けて圧縮する。このとき、円盤８１１から円盤８１３に向かって徐々に径が小さくなっていると、円盤８１１，８１２，８１３は圧縮して、円盤８１３は円盤８１２内に、円盤８１２は円盤８１１内に入り込み、元に戻らない。
この様な構造にすると、混合液はほとんど残らずに注入できる。尚、この実施形態のように液体を移動させて粉体と混合する場合は、粉体は容易に分散できれば固まった状態（凍結乾燥等）でもよい。
この様に連結する円盤の大きさを順次変える蛇腹構造は、第１の実施形態から第７の実施形態の蛇腹容器２にも使用できる。
【００５０】
上記実施形態において、部材間は、液密性又は気密性を高めるために、シール材を設けてもよい。
【００５１】
上記に本発明の実施形態を説明したが、当業者は、本発明の特徴から実質的に離れることなく、これら例示である実施形態に多くの変更を加えることが容易である。これらの変更は本発明の範囲に含まれる。
【符号の説明】
【００５２】
１，２１０，３１０，４１０，５１０，６１０，７１０，８１０  粉体収納部
２，８２０  蛇腹容器（液体収納部）
３  カニューレ（注入部）
１００，２００  浣腸容器
【図１】
0006723554.tif 000002
【図２】
0006723554.tif 000003
【図３】
0006723554.tif 000004
【図４】
0006723554.tif 000005
【図５】
0006723554.tif 000006
【図６】
0006723554.tif 000007
【図７】
0006723554.tif 000008
【図８】
0006723554.tif 000009
【図９】
0006723554.tif 000010
【図１０】
0006723554.tif 000011
【図１１】
0006723554.tif 000012
【図１２】
0006723554.tif 000013
【図１３】
0006723554.tif 000014
【図１４】
0006723554.tif 000015
【図１５】
0006723554.tif 000016
【図１６】
0006723554.tif 000017
【図１７】
0006723554.tif 000018
【図１８】
0006723554.tif 000019
【図１９】
0006723554.tif 000020
【図２０】
0006723554.tif 000021
【図２１】
0006723554.tif 000022
【図２２】
0006723554.tif 000023